(57)【特許請求の範囲】
【請求項１】
トラクタの後部にヒッチ機構を介して農作業機（１）を装着し、この農作業機（１）の前側に、トラクタの車輪により踏圧された土壌を破砕するコールタ状の刃体（２６）を有する装置を設けた土壌破砕装置（２３）において、
上記土壌破砕装置（２３）は、農作業機（１）の前部に設けられ、刃体（２６）の土壌抵抗により前後方向に弾性変形可能な支持部と自由端部を備え、高負荷時には自由端側も負荷を分担する弾持機構（２４）と、該弾持機構（２４）の支持部により支持された刃体取付け部（２５）に上下摺動可能に嵌挿される取付け基部（２６ａ）の下端部から前傾状に傾斜し、前縁に刃縁（２６ｃ）を有する縦刃部（２６ｂ）の下端部から一側に屈曲して横刃部（２６ｄ）を形成した刃体（２６）と、からなることを特徴とする土壌破砕装置。
【請求項２】
上記弾持機構（２４）は、側面視で楕円状に弯曲させた板バネにより構成したことを特徴とする請求項１記載の土壌破砕装置。
【請求項３】
上記刃体（２６）は、取付け基部（２６ａ）の下端部から前傾状に傾斜し、前縁に刃縁（２６ｃ）を有する縦刃部（２６ｂ）の下端部から一側に屈曲する横刃部（２６ｄ）を設け、その横刃部（２６ｄ）に刃体（２６）の移動方向に対して後方斜め上方に向け傾斜するすくい面を形成したことを特徴とする請求項１記載の土壌破砕装置。
【発明の詳細な説明】
【０００１】
【発明の属する技術分野】
本発明は、トラクタの車輪により踏圧された土壌を破砕するコールタ状の刃体を有する土壌破砕装置に関する。
【０００２】
【従来の技術】
従来、トラクタの後部にヒッチ機構を介して農作業機を装着し、この農作業機の前側に、トラクタの車輪により踏圧された土壌を破砕するコールタ状の刃体を有する装置を設けた土壌破砕装置が周知である。
【０００３】
この従来の土壌破砕装置においては、トラクタの車輪により踏圧され、固く締まったり、また、窪みができたりして整地性が悪くなった土壌を、農作業機の前側に配した刃体によって破砕するようにしている。このような刃体として、実開昭６０−１３１１０４号公報に開示されているような、前後方向に弾力を有する弾性支持杆（ばね歯杆３５）の下端部に縦方向の砕土刃（砕土ツース４６）を固着したものを使用しているものがある。
【０００４】
【発明が解決しようとする課題】
上記刃体は、その前面の面積が広く、牽引抵抗（負荷）が大きくなる上、下方の土を押し上げて膨軟にする効果が小さい、という問題点があった。
【０００５】
本発明は、上記の問題点を解決するためになされたもので、縦刃部の耕耘抵抗が小さく、横刃部により土壌を膨軟にし、整地性を向上させるようにした土壌破砕装置を提供することを目的とする。
【０００６】
【課題を解決するための手段】
上記の目的を達成するために本発明は、
Ａ．トラクタの後部にヒッチ機構を介して農作業機１を装着し、この農作業機１の前側に、トラクタの車輪により踏圧された土壌を破砕するコールタ状の刃体２６を有する装置を設けた土壌破砕装置２３において、
上記土壌破砕装置２３は、農作業機１の前部に設けられ、刃体２６の土壌抵抗により前後方向に弾性変形可能な支持部と自由端部を備え、高負荷時には自由端側も負荷を分担する弾持機構２４と、該弾持機構２４の支持部により支持された刃体取付け部２５に上下摺動可能に嵌挿される取付け基部２６ａの下端部から前傾状に傾斜し、前縁に刃縁２６ｃを有する縦刃部２６ｂの下端部から一側に屈曲して横刃部２６ｄを形成した刃体２６と、からなることを特徴としている。
【０００７】
Ｂ．上記弾持機構２４は、側面視で楕円状に弯曲させた板バネにより構成したことを特徴としている。
【０００８】
Ｃ．上記刃体２６は、取付け基部２６ａの下端部から前傾状に傾斜し、前縁に刃縁２６ｃを有する縦刃部２６ｂの下端部から一側に屈曲する横刃部２６ｄを設け、その横刃部２６ｄに刃体２６の移動方向に対して後方斜め上方に向け傾斜するすくい面を形成したことを特徴としている。
【０００９】
【作用】
上記の構成により本発明の土壌破砕装置は、以下の作用を行う。
ａ．上記Ａ．の構成により、刃体２６に土壌抵抗（負荷）が掛かると、その負荷変動により刃体取付け部２５において弾持機構２４が前後方向に弾性変形して刃体２６を前後に振動させ、縦刃部２６ｂ及び横刃部２６ｄにより抵抗の少ない土壌破砕作業が行われる。特に横刃部２６ｄにおいては、固く締まった土壌を膨軟にし、整地性を向上させる。
【００１０】
ｂ．上記Ｂ．の構成により、刃体２６に土壌抵抗（負荷）が掛かると、その負荷変動により弾持機構２４の板バネが前後方向に弾性変形して刃体２６を前後に振動させ、縦刃部２６ｂ及び横刃部２６ｄにより抵抗の少ない土壌破砕作業が行われる。
【００１１】
ｃ．上記Ｃ．の構成により、縦刃部２６ｂの下端部から一側に屈曲して形成した横刃部２６ｄにすくい面が形成されていることで、横刃部２６ｄ上の固く締まった土壌は上方に押し上げられて膨軟となり、整地性が向上する。
【００１２】
【発明の実施の形態】
以下、本発明の実施の形態を添付の図面を参照して具体的に説明する。
図１及び図２において、符号１は左右方向の長さが長く耕耘・砕土及び整地機能を持つロータリ式の耕耘整地機である。この耕耘整地機１は、前部に、図示しないトラクタの後部に設けられた周知の３点リンクヒッチ機構に連結されるトップリンク連結部２及びロアーリンク連結部３が設けられ、トラクタの後部に昇降可能に装着される。また、トラクタのＰＴＯ軸から、ユニバーサルジョイント、伝動シャフト等の伝動系を介して、耕耘整地機１の前側左右中央部に設けられた変速ギヤボックス４から前方に突出している入力軸５に動力が伝達される。
【００１３】
上記ギヤボックス４から左右両側に、本体フレームを兼ね、伝動シャフトを内装した伝動フレーム６及び中空の支持フレーム７が水平方向に延設されている。この伝動フレーム６の側端部にはチェン伝動ケース８が垂設され、また、支持フレーム７の側端部には側部フレーム９がチェン伝動ケース８と対向して垂設されている。このチェン伝動ケース８の下端部と側部フレーム９の下端部との間に回転軸１０が軸架されている。この回転軸１０の軸周には放射方向に多数の耕耘・砕土爪１１が取付けられてロータリ作業部１２を構成している。そして、ギヤボックス４に伝達された動力はギヤボックス４内でギヤ変速され、伝動シャフトを回転させてチェン伝動ケース８を介して回転軸１０を回転駆動し、ロータリ作業部１２により耕耘・砕土作業を行う。
【００１４】
ロータリ作業部１２の上側はシールドカバー１３により覆われ、このシールドカバー１３には、左右両側端部に側部カバー１４、前部に前部カバー１５がそれぞれ装着され、後端部にリヤカバー１６の前端部が上下回動可能に枢着されている。このリヤカバー１６と上記伝動フレーム６及び支持フレーム７との間には、４個のコンプレッションロット１７が介装されていて、リヤカバー１６に弾力を与えている。また、リヤカバー１６の後端部に砕土レーキ１６ａが設けられている。左右の側部カバー１４の後部には、左右一対の支持アーム１８を介して整地作用を行うかごローラ１９が軸支されている。このかごローラ１９は、側部カバー１４の後端部と支持アーム１８との間に設けられた上下調節機構２０により上下調節が可能である。
【００１５】
耕耘整地機１の前部に横架されている前部フレーム２１の左右両側部に、トラクタの車輪跡２２に対応して、図３及び図４にも示されているような、本発明に係る土壌破砕装置２３が設けられている。この土壌破砕装置２３は、左右一対のものをそれぞれ左右の間隔を調節可能に取付けている。前部フレーム２１に対し側面視で楕円（円弧）形状に弯曲させた板バネ２４を介して刃体取付け部２５を取付け、この刃体取付け部２５に、コールタ状の刃体２６の取付け基部２６ａを上下摺動、かつ上下調節可能に嵌挿している。
【００１６】
刃体２６は、取付け基部２６ａの下端部から前傾状に傾斜し、前縁に刃縁２６ｃを有する縦刃部２６ｂの下端部から一側に屈曲させて、刃体２６の移動方向に対して後方斜め上方に向け傾斜するすくい面を有する横刃部を形成している。そして、刃体２６に土壌抵抗（負荷）が掛かると、その負荷変動により板バネ２４が前後方向に弾性変形し、刃体２６を前後に振動させて耕耘負荷を小さくするようにしている。なお、弾持機構である側面視楕円形状の板バネ２４は、刃体２６の負荷変動により前後に弾性変形して刃体２６を前後に振動させるものであれば他の形状のものであってもよい。
【００１７】
次に、上記耕耘整地機１の動作について説明する。
耕耘整地機１は、図示しないトラクタの後部に設けられた３点リンクヒッチ機構を介して、トップリンク連結部２及びロアーリンク連結部３が連結されて昇降可能に牽引される。また、トラクタのＰＴＯ軸から、ユニバーサルジョイント、伝動シャフト等の伝動系を介して耕耘整地機１の入力軸５に動力が伝達され、この動力は、変速ギヤボックス４内で変速されて伝動フレーム６内の伝動シャフトを介してチェン伝動ケース８に伝達され、ロータリ作業部１２を回転駆動し、耕耘・砕土作業を行う。
【００１８】
ロータリ作業部１２が図１においてダウンカット方向に回転して、耕耘された土壌は後方に放擲され、リヤカバー１６及び砕土レーキ１６ａに衝突して砕土される。砕土された土壌は、回転するかごローラ１９により整地される。かごローラ１９は、その高さが上下調節機構２０により上下調節されて、整地深さなどの整地状況が調整される。
【００１９】
トラクタの走行により圃場の土壌面には、図２に示すように、車輪により踏圧されて車輪跡２２が形成され、土壌が固く締まったり、また、窪みができたりする。この車輪跡２２には、図４に示すように、土壌破砕装置２３のコールタ状の刃体２６が配置され、土壌が破砕される。このとき、刃体２６に土壌抵抗（負荷）が掛かると、その負荷変動により刃体取付け部２５において板バネ２４が前後方向に弾性変形して刃体２６を前後に振動させ、縦刃部２６ｂ及び横刃部２６ｄにより抵抗の少ない土壌破砕が行われる。特に横刃部２６ｄにおいては、固く締まった土壌を上方に押し上げて膨軟にし、整地性を良好にする。
【００２０】
【発明の効果】
以上説明したように本発明の土壌破砕装置によれば、以下の作用効果を奏することができる。
【００２１】
イ．土壌破砕装置２３は、農作業機１の前部に設けられ、刃体２６の土壌抵抗により前後方向に弾性変形可能な支持部と自由端部を備え、高負荷時には自由端側も負荷を分担する弾持機構２４と、該弾持機構２４の支持部により支持された刃体取付け部２５に上下摺動可能に嵌挿される取付け基部２６ａの下端部から前傾状に傾斜し、前縁に刃縁２６ｃを有する縦刃部２６ｂの下端部から一側に屈曲して横刃部２６ｄを形成した刃体２６と、からなるので、刃体に土壌抵抗（負荷）が掛かると、その負荷変動により刃体取付け部において弾持機構が前後方向に弾性変形して刃体を前後に振動させ、縦刃部及び横刃部により抵抗の少ない土壌破砕作業を行うことができる。特に横刃部においては、固く締まった土壌を膨軟にし、整地性を向上させることができる。
【００２２】
ロ．弾持機構２４は、側面視で楕円状に弯曲させた板バネにより構成したので、刃体に土壌抵抗（負荷）が掛かると、その負荷変動により弾持機構の板バネが前後方向に弾性変形して刃体を前後に振動させ、縦刃部及び横刃部により抵抗の少ない土壌破砕作業を行うことができる。
【００２３】
ハ．刃体２６は、取付け基部２６ａの下端部から前傾状に傾斜し、前縁に刃縁２６ｃを有する縦刃部２６ｂの下端部から一側に屈曲する横刃部２６ｄを設け、その横刃部２６ｄに刃体２６の移動方向に対して後方斜め上方に向け傾斜するすくい面を形成したので、横刃部上の固く締まった土壌は、すくい面によって上方に押し上げられて膨軟となり、整地性を向上させることができる。
【図面の簡単な説明】
【図１】本発明による土壌破砕装置を備えた耕耘整地機全体の側面図である。
【図２】同平面図である。
【図３】本発明による土壌破砕装置のコールタを示し、（ａ）は全体の側面図、（ｂ）は取付け基部の端面図、（ｃ）は縦刃部の下端部から一側に屈曲して横刃部を形成した部分正面図、（ｄ）は横刃部にすくい面を形成した状態の部分斜視図である。
【図４】土壌破砕装置の作用を示す側面図で、（ａ）は通常作業時、（ｂ）は高負荷時である。
【符号の説明】
１  耕耘整地機
２  トップリンク連結部
３  ロアーリンク連結部
４  変速ギヤボックス
５  入力軸
６  伝動フレーム
７  支持フレーム
８  チェン伝動ケース
９  側部フレーム
１０  回転軸
１１  耕耘・砕土爪
１２  ロータリ作業部
１３  シールドカバー
１４  側部カバー
１５  前部カバー
１６  リヤカバー  １６ａ  砕土レーキ
１７  コンプレッションロット
１８  支持アーム
１９  整地用のかごローラ
２０  上下調節機構
２１  前部フレーム
２２  トラクタの車輪跡
２３  土壌破砕装置
２４  側面視楕円形状の板バネ（弾持機構）
２５  刃体取付け部
２６  コールタ状の刃体  ２６ａ  取付け基部  ２６ｂ  縦刃部  ２６ｃ  刃縁  ２６ｄ  すくい面を有する横刃部
【図１】
0003656815.tif 000002
【図２】
0003656815.tif 000003
【図３】
0003656815.tif 000004
【図４】
0003656815.tif 000005